(57)【特許請求の範囲】
【請求項１】
大地面上、あるいは、建造物の屋上に敷設され、所定の表面積を有する金属床を有するグランドプレーンであって、土中に埋設した金属よりなる柔軟性を有するシートと、前記金属床の端部が電磁的に接続されてなることを特徴とするグランドプレーン。
【請求項２】
前記シートは、極薄鋼板よりなることを特徴とする請求項１記載のグランドプレーン。
【請求項３】
前記シートは、金網よりなることを特徴とする請求項１記載のグランドプレーン。
【請求項４】
前記シートは、パンチングメタルよりなることを特徴とする請求項１記載のグランドプレーン。
【請求項５】
前記シートは、エクスパンジョンメタルよりなることを特徴とする請求項１記載のグランドプレーン。
【請求項６】
大地面上、あるいは、建造物の屋上に敷設され、所定の表面積を有する金属床を有するグランドプレーンであって、土中に埋設した金属よりなる複数の棒と、前記金属床の端部が電磁的に接続されてなることを特徴とするグランドプレーン。
【請求項７】
大地面上、あるいは、建造物の屋上に敷設され、所定の表面積を有する金属床を有するグランドプレーンであって、前記金属床の端部上面に電波吸収体を有することを特徴とするグランドプレーン。
【請求項８】
請求項１ないし６のいずれかに記載の金属床の端部上面に電波吸収体を有することを特徴とするグランドプレーン。
【請求項９】
前記電波吸収体は、フェライトよりなることを特徴とする請求項７または８記載のグランドプレーン。
【請求項１０】
請求項１ないし９のいずれかに記載のグランドプレーンを敷設したことを特徴とするオープンサイト。
【発明の詳細な説明】
【０００１】
【発明の属する技術分野】
本発明は、電気機器、電子機器等の放射妨害波の電界強度を測定するオープンサイト、あるいは、アンテナ校正時に用いるオープンサイトに関し、特に、オープンサイトに敷設して好適なグランドプレーンに関する。
【０００２】
【従来の技術】
電気機器、電子機器等の放射妨害波の電界強度（以降、単に放射妨害波とする）を測定するための空間として、一般にオープンサイトが用いられている。
【０００３】
オープンサイトは、理想的には、電波を反射する障害物が周囲になく、また、飛来する電波のない空間で、大地面の反射係数が一定であることが望ましい。
【０００４】
そこで、大地面の反射係数を規準化し、一定にするために、グランドプレーンが敷設される。
【０００５】
前記放射妨害波は、グランドプレーン上の一定の高さに被測定機器を設置し、該機械の発する放射妨害波を、一定の距離を置いたアンテナにより捕捉し、スペクトラムアナライザ等の測定器を用いて、測定される。
【０００６】
また、オープンサイトは、電波伝搬特性として、波源から測定点までの減衰量であるサイトアッテネーションの規格を満たさなければならない。
【０００７】
そして、従来のグランドプレーンは、コンクリートやアスファルトなどで地面を平坦に覆うか、整地し、あるいは建造物の屋上に、鉄板や金網を敷設していた。前記鉄板や金網は、場合によって、鉄骨等で補強していた。
【０００８】
また、グランドプレーンを構成する鉄板や金網は、複数の鉄板や金網を溶接やボルト等で接続し、電気的接続を確保するとともに、その平坦度も一定に保つようにしていた。
【０００９】
そこで、一般的なオープンサイトは、図４に示すように、大地面あるいは建造物の屋上にグランドプレーン１を敷設し、被測定機器５を水平面内で回転させるターンテーブル４をグランドプレーン１上に設置するとともに、受信アンテナ３を垂直方向に動かすアンテナ昇降機２を、受信アンテナ３と被測定機器５の端部が所定距離（３ｍ、１０ｍ、３０ｍ等）隔たるように設置する。所定距離を３ｍとして測定するとき、３ｍ法の測定、１０ｍのとき、１０ｍ法の測定等と、言われている。場合によっては、障害物をさけるために、盛り土した上にグランドプレーンを敷設することもある。
【００１０】
被測定機器は、前記ターンテーブル上にセットされ、ターンテーブルを回転することにより、被測定機器は、鉛直線を軸として水平面内で自転する。受信アンテナは、被測定機器から所定距離離れた鉛直線上で垂直方向に移動する。
【００１１】
被測定機器の自転と受信アンテナの垂直方向の移動により、全方位（水平面内）での放射妨害波が、受信アンテナに捕捉され、被測定機器の発する放射妨害波の所定距離離れた面上での分布が測定される。
【００１２】
そして、受信アンテナは、被測定機器からの直接波と、グランドプレーンに一度反射した後、入射する反射波との合成波を受信（捕捉）するように規定されている。すなわち、直接波と、一次反射波との合成波の理論値を標準として、サイトアッテネーションを規定している。
【００１３】
【発明が解決しようとする課題】
オープンサイト周囲の樹木や建造物等の電波反射物、およびグランドプレーンのつなぎ目や段差等は、サイトアッテネーションに影響を与え、見かけ上の放射妨害波を、受信アンテナに捕捉させ、放射妨害波の測定値に誤差を含ませる。
【００１４】
グランドプレーンの最小面積や、オープンサイトでの測定値の規準化、反射物までの距離については、各種の規格（ＡＮＳＩ・アメリカ標準局、ＣＩＳＰＲ・国際無線障害特別委員会）等に規定されている。
【００１５】
一般的には、サイトアッテネーションは、前記理論値±４ｄＢをもって、許容範囲とされている。しかしながら、グランドプレーンの面積を上記規格以上にしても、満足なサイトアッテネーションを得ることは困難である。
【００１６】
その理由は、有限寸法であるグランドプレーンの端部では、金属と大地面、あるいは、金属と建造物表面が接している。そして、金属と大地面等では、導電率が極端に異なり、そのために、その境界部では、定在波が生じるためである。
【００１７】
従って、上記許容範囲を満たすためには、グランドプレーンの電波伝搬特性を良好に保ち、定在波が生じないようにする必要がある。
【００１８】
そこで、本発明の課題は、電波伝搬特性のよいグランドプレーンと、サイトアッテネーションの良いオープンサイトを提供することである。
【００１９】
【課題を解決するための手段】
本発明は、大地面上、あるいは、建造物の屋上に敷設され、所定の表面積を有する金属床を有するグランドプレーンであって、土中に埋設した金属よりなる柔軟性を有するシートと、前記金属床の端部が電磁的に接続されてなるグランドプレーンである。
【００２０】
また、本発明は、前記シートが、極薄鋼板よりなる上記のグランドプレーンである。
【００２１】
また、本発明は、前記シートが、金網よりなる上記のグランドプレーンである。
【００２２】
また、本発明は、前記シートが、パンチングメタルよりなる上記のグランドプレーンである。
【００２３】
また、本発明は、前記シートが、エクスパンジョンメタルよりなる上記のグランドプレーンである。
【００２４】
また、本発明は、大地面上、あるいは、建造物の屋上に敷設され、所定の表面積を有する金属床を有するグランドプレーンであって、土中に埋設した金属よりなる複数の棒と、前記金属床の端部が電磁的に接続されてなるグランドプレーンである。
【００２５】
また、本発明は、大地面上、あるいは、建造物の屋上に敷設され、所定の表面積を有する金属床を有するグランドプレーンであって、前記金属床の端部上面に電波吸収体を有するグランドプレーンである。
【００２６】
さらに、本発明は、前記グランドプレーンの端部上面に電波吸収体を有する上記のグランドプレーンである。
【００２７】
さらに、本発明は、前記電波吸収体が、フェライトよりなる上記グランドプレーンである。
【００２８】
また、本発明は、上記のグランドプレーンを敷設したオープンサイトである。
【００２９】
【発明の実施の形態】
以下に、図を用いて、本発明の実施の形態を説明する。
【００３０】
図１は、本発明の第１の実施の形態のグランドプレーンの端部の構造を示す部分断面図、図２は、本発明の第２の実施の形態のグランドプレーンの端部の構造を示す部分断面図、図３は、本発明の第３の実施の形態のグランドプレーンの端部の構造を示す部分断面図である。そして、図５は、本発明のグランドプレーンを敷設したオープンサイトのサイトアッテネーションを示す図［図５（ａ）］で、図５（ｂ）は、図５（ａ）の部分拡大図である。
【００３１】
本発明の第１の実施の形態は、図１に示すように、大地面の土１０の一部を掘削し、そこにコンクリートを流して基礎２３とし、基礎２３の上に厚さ６ｍｍの定尺の鉄板（０.９ｍ×１.８ｍ）を敷き、鉄板間を溶接（図示せず）して、グランドプレーンの主要部である金属床１５とした。金属床１５の表面寸法は、１７.３ｍ×２４ｍ（１０ｍ法に対応）とした。
【００３２】
そして、金属床１５の端部に、厚さ６ｍｍ、幅２５０ｍｍのステンレス板よりなる当て板１２を溶接し（溶接部１４）、外径寸法が０.６ｍｍのステンレス線よりなる金網（幅１ｍ）１１の端部を当て板１２に乗せ、その上から押さえ板１３を乗せ、当て板１２と押さえ板１３をボルト締め（図示せず）して、金網１１よりなる柔軟性を有するシートとを電磁的に接続し、本発明のグランドプレーンを得た。
【００３３】
そして、金網１１の大部分を土１０で覆った。金網１１は、柔軟性を有するので、容易に土１０と馴染ませることができた。
【００３４】
また、本発明の第２の実施の形態は、図２に示すように、大地面の土１０の一部を掘削し、そこにコンクリートを流して基礎２３とし、基礎２３の上に厚さ４.５ｍｍの定尺の鉄板（０.９ｍ×１.８ｍ）を敷き、鉄板間を溶接（図示せず）して、グランドプレーンの主要部である金属床２５とした。金属床２５の表面寸法は、５.１ｍ×８ｍ（３ｍ法に対応）とした。
【００３５】
そして、棒である直径２０ｍｍ、肉厚５ｍｍ、長さ１ｍのステンレスパイプ２１を、１ｍピッチで土１０中に埋設し、金属床２５の端部に、ステンレスパイプ２１の端部を溶接（溶接部２２）して、金属床２５とステンレスパイプ２１を電磁的に接続し、本発明のグランドプレーンを得た。
【００３６】
本発明の第３の実施の形態は、図３に示すように、大地面の土１０の一部を掘削し、そこにコンクリートを流して基礎２３とし、基礎２３の上に溝型鋼よりなる台３２を固定し、台３２の上に厚さ１２ｍｍの定尺の鉄板（０.９ｍ×１.８ｍ）を敷き、鉄板間を溶接（図示せず）して、グランドプレーンの主要部である金属床３５とした。金属床３５の表面寸法は、１７.３ｍ×２４ｍ（１０ｍ法に対応）とした。
【００３７】
そして、金属床３５の端部上面に、厚さ６.５ｍｍ、幅７５ｍｍ、長さ９５ｍｍのフェライトよりなる電波吸収体３１を配置し、本発明のグランドプレーンを得た。電波吸収体３１は、金属床３５の全周に、幅３０ｃｍにわたって配置した。
【００３８】
また、第４の実施の形態として、第１の実施の形態に用いたグランドプレーンの金属床の端部に、第３の実施の形態と同様にして、電波吸収体を配置した（図示せず）。
【００３９】
上記のようにして得られた本発明のグランドプレーンを敷設したオープンサイトのサイトアッテネーションを表１に示す。
【００４０】
0003711729.tif 000002
【００４１】
図５中、７の実線は、第４の実施の形態のオープンサイトのサイトアッテネーションを示し、８の点線は、従来のオープンサイトのサイトアッテネーションを示し、９の２点鎖線は、理論値±４ｄＢの許容範囲を示す。
【００４２】
図５及び表１に示すように、本発明のオープンサイトは、良好な電波伝搬特性を有することを実証した。
【００４３】
本実施の形態の説明において、金属よりなる柔軟性を有するシートにステンレスよりなる金網を用いたが、前記シートは極薄鋼板であっても、パンチングメタルであっても、またエクスパンジョンメタルであっても、本発明の効果に変わりはない。
【００４４】
また、本実施の形態の説明において、金属よりなる複数の棒として、ステンレスパイプを用いたが、金属の棒であれば何であっても、その効果に変わりはない。
【００４５】
また、本発明のオープンサイトは、大地面に設けても、建造物の屋上に設けても、その効果は原理的に変わらない
【００４６】
【発明の効果】
本発明によれば、電波伝搬特性のよいグランドプレーンと、サイトアッテネーションの良いオープンサイトが得られる。
【図面の簡単な説明】
【図１】本発明の第１の実施の形態のグランドプレーンの端部の構造を示す部分断面図。
【図２】本発明の第２の実施の形態のグランドプレーンの端部の構造を示す部分断面図。
【図３】本発明の第３の実施の形態のグランドプレーンの端部の構造を示す部分断面図。
【図４】一般的なオープンサイトを示す説明図。
【図５】本発明のグランドプレーンを敷設したオープンサイトのサイトアッテネーションを示す図［図５（ａ）］、図５（ｂ）は、図５（ａ）の部分拡大図。
【符号の説明】
１    グランドプレーン
２    アンテナ昇降機
３    受信アンテナ
４    ターンテーブル
５    被測定機器
７    （オープンサイトのサイトアッテネーションを示す）実線
８    （従来のオープンサイトのサイトアッテネーションを示す）点線
９    （理論値±４ｄＢの許容範囲を示す）２点鎖線
１０    土
１１    金網
１２    当て板
１３    押さえ板
１４    溶接部
１５    （グランドプレーンの主要部である）金属床
２５    金属床
２１    （棒である）ステンレスパイプ
２２    溶接部
２３    基礎
３１    （フェライトよりなる）電波吸収体
３２    台
３５    金属床
【図１】
0003711729.tif 000003
【図２】
0003711729.tif 000004
【図３】
0003711729.tif 000005
【図４】
0003711729.tif 000006
【図５】
0003711729.tif 000007